(57)【要約】【課題】信頼性を向上する。【解決手段】紙幣処理装置１は、入金される紙幣を受け付ける入金部１２と、入金部１２と接続され紙幣を搬送する搬送部１５と、入金部１２から搬送された紙幣を鑑別する鑑別部１６と、正常ではないと鑑別部１６において判別された紙幣における表裏又は正倒立方向の少なくとも一方を反転させた状態で紙幣を鑑別部１６へ進行させ、鑑別部１６において再度鑑別させる制御部１１とを設ける。【選択図】図３
2020170240.tif 000002
【特許請求の範囲】
【請求項１】
入金される紙幣を受け付ける入金部と、
前記入金部と接続され前記紙幣を搬送する搬送部と、
前記入金部から搬送された前記紙幣を鑑別する鑑別部と、
正常ではないと前記鑑別部において判別された前記紙幣における表裏又は正倒立方向の少なくとも一方を反転させた状態で前記紙幣を前記鑑別部へ進行させ、前記鑑別部において再度鑑別させる制御部と
を有する現金処理装置。
【請求項２】
前記制御部は、
前記入金部から繰り出され正常ではないと前記鑑別部において判別された前記紙幣を所定の収納庫へ収納してから該収納庫から繰り出すことにより、前記紙幣における表裏又は正倒立方向の少なくとも一方を反転させてから前記鑑別部へ搬送させ、前記鑑別部において再度鑑別させる
請求項１に記載の現金処理装置。
【請求項３】
前記制御部は、
前記入金部から繰り出され正常ではないと前記鑑別部において判別された前記紙幣を前記所定の収納庫である一時保留部へ搬送させる一方、
前記入金部から繰り出され正常であると前記鑑別部において判別された前記紙幣を、前記一時保留部を介さずに、所定の紙幣カセットへ搬送させる
請求項２に記載の現金処理装置。
【請求項４】
前記制御部は、
前記一時保留部から前記紙幣を繰り出すことにより、前記紙幣における表裏又は正倒立方向の少なくとも一方を反転させてから前記鑑別部へ搬送させ、前記鑑別部において再度鑑別させ、正常であると前記鑑別部において判別された前記紙幣を所定の前記紙幣カセットへ搬送させる
請求項３に記載の現金処理装置。
【請求項５】
前記制御部は、
再度鑑別しても正常ではないと前記鑑別部において判別された前記紙幣を所定の収納庫へ搬送させて収納させてから繰り出して使用者に返却する
請求項４に記載の現金処理装置。
【請求項６】
前記制御部は、
前記入金部に入金された全ての前記紙幣における、正常ではないと前記鑑別部において判別された前記紙幣の割合であるリジェクト率を算出し、該リジェクト率が所定の閾値未満であった場合、正常ではないと前記鑑別部において判別された前記紙幣を使用者に返却する一方、前記リジェクト率が前記閾値以上であった場合、正常ではないと前記鑑別部において判別された前記紙幣における表裏又は正倒立方向の少なくとも一方を反転させ、前記鑑別部において再度鑑別させる
請求項１に記載の現金処理装置。
【請求項７】
紙幣を収納する紙幣カセットと、
前記紙幣カセットと接続され前記紙幣を搬送する搬送部と、
前記紙幣カセットから搬送された前記紙幣を鑑別する鑑別部と、
前記搬送部と接続され前記紙幣を出金する出金部と、
正常ではないと前記鑑別部において判別された前記紙幣における表裏又は正倒立方向の少なくとも一方を反転させた状態で前記紙幣を前記鑑別部へ進行させ、前記鑑別部において再度鑑別させる制御部と
を有する現金処理装置。
【請求項８】
前記制御部は、
前記紙幣カセットから繰り出され正常ではないと前記鑑別部において判別された前記紙幣を所定の収納庫へ収納してから該収納庫から繰り出すことにより、前記紙幣における表裏又は正倒立方向の少なくとも一方を反転させてから前記鑑別部へ搬送させ、前記鑑別部において再度鑑別させる
請求項７に記載の現金処理装置。
【請求項９】
前記制御部は、
前記紙幣カセットから繰り出され正常ではないと前記鑑別部において判別された前記紙幣を前記所定の収納庫である一時保留部へ搬送させる一方、
前記紙幣カセットから繰り出され正常であると前記鑑別部において判別された前記紙幣を、前記一時保留部を介さずに、前記出金部へ搬送させる
請求項８に記載の現金処理装置。
【請求項１０】
前記制御部は、
使用者に指定された枚数分だけ前記紙幣カセットから前記紙幣を繰り出し、正常であると前記鑑別部において判別された前記紙幣を前記出金部へ搬送させる一方、正常ではないと前記鑑別部において判別された前記紙幣を前記一時保留部へ搬送させてから前記一時保留部から前記紙幣を繰り出すことにより、前記紙幣における表裏又は正倒立方向の少なくとも一方を反転させてから前記鑑別部へ搬送させて前記鑑別部において再度鑑別させ、正常であると前記鑑別部において判別された前記紙幣を前記出金部へ搬送させ、使用者に出金する
請求項９に記載の現金処理装置。
【請求項１１】
前記制御部は、
使用者に指定された枚数分の前記紙幣を前記出金部へ搬送させるまで前記紙幣カセットから前記紙幣を繰り出し、正常ではないと前記鑑別部において判別された前記紙幣を前記一時保留部へ搬送させる一方、正常であると前記鑑別部において判別された前記紙幣を前記出金部へ搬送させ、使用者に出金する
請求項９に記載の現金処理装置。
【請求項１２】
前記制御部は、
前記出金部から使用者に前記紙幣を出金した後に、前記一時保留部から前記紙幣を繰り出すことにより、前記紙幣における表裏又は正倒立方向の少なくとも一方を反転させてから前記鑑別部へ搬送させて前記鑑別部において再度鑑別させ、正常であると前記鑑別部において判別された前記紙幣を繰出元の前記紙幣カセットへ搬送させる
請求項１１に記載の現金処理装置。
【請求項１３】
前記制御部は、
使用者に指定された枚数分の前記紙幣を前記出金部へ搬送する前に前記紙幣カセットが空になった場合、前記出金部から使用者に前記紙幣を出金する前に、前記一時保留部から前記紙幣を繰り出すことにより、前記紙幣における表裏又は正倒立方向の少なくとも一方を反転させてから前記鑑別部へ搬送させて前記鑑別部において再度鑑別させ、正常であると前記鑑別部において判別された前記紙幣を前記出金部へ搬送させ、使用者に出金する
請求項１１に記載の現金処理装置。
【発明の詳細な説明】
【技術分野】
【０００１】
本発明は現金処理装置に関し、例えば金融機関の窓口に設置され、紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。紙幣処理装置には、例えば使用者から紙幣を受け取ると共に使用者に紙幣を引き渡す接客部と、紙幣を所定の搬送路に沿って搬送する搬送部と、紙幣を鑑別する鑑別部と、紙幣を一時的に保留する一時保留部と、紙幣を収納する紙幣カセットと、再利用すべきでないと鑑別された紙幣を収納するリジェクト庫とが設けられている。
【０００３】
そのような紙幣処理装置においては、入金時において入金対象紙幣を一時保留部へ一旦保留せずに、紙幣カセットへ直接搬送するよう制御する、いわゆるダイレクト入金を行うものがある（例えば、特許文献１参照）。
【０００４】
図１２及び図１３に従来の紙幣処理装置２０１を示す。入金取引において紙幣処理装置２０１は、図１２に示すように、入金部１２から紙幣を繰り出して搬送部１５により搬送すると共に鑑別部１６により鑑別する。紙幣処理装置２０１は、入金対象紙幣であると鑑別部１６において鑑別した正常券を、一時保留部１７を経由せずにルートＲ２０１に沿って各紙幣カセット１８に直接搬送する。一方紙幣処理装置２０１は、入金対象外紙幣であると鑑別部１６において鑑別したリジェクト券をルートＲ２０２に沿って第１出金部１３ａへ搬送して使用者に返却する。
【０００５】
また出金取引において紙幣処理装置２０１は、図１３に示すように、指定された金種を収納する紙幣カセット１８から紙幣を繰り出して搬送部１５により搬送すると共に鑑別部１６により鑑別する。紙幣処理装置２０１は、出金対象紙幣であると鑑別部１６において鑑別した正常券を、一時保留部１７を経由せずにルートＲ２０３に沿って第１出金部１３ａに直接搬送する。一方紙幣処理装置２０１は、出金対象外紙幣であると鑑別部１６において鑑別したリジェクト券をルートＲ２０４に沿って収納専用カセット１９へ搬送して収納する。
【先行技術文献】
【特許文献】
【０００６】
【特許文献１】特開２０１４−２３２４４６号公報
【発明の概要】
【発明が解決しようとする課題】
【０００７】
しかしながらそのような紙幣処理装置においては、入金又は出金における鑑別部による鑑別時において、紙幣が特定の向きで鑑別部を通過すると、実際には正常な紙幣であるにも関わらず、リジェクト紙幣であると判別してしまい、信頼性が低下するおそれがあった。
【０００８】
本発明は以上の点を考慮してなされたもので、信頼性を向上し得る現金処理装置を提案しようとするものである。
【課題を解決するための手段】
【０００９】
かかる課題を解決するため本発明の現金処理装置においては、入金される紙幣を受け付ける入金部と、入金部と接続され紙幣を搬送する搬送部と、入金部から搬送された紙幣を鑑別する鑑別部と、正常ではないと鑑別部において判別された紙幣における表裏又は正倒立方向の少なくとも一方を反転させた状態で前記紙幣を前記鑑別部へ進行させ、前記鑑別部において再度鑑別させる制御部とを設けるようにした。
【００１０】
また本発明の現金処理装置においては、紙幣を収納する紙幣カセットと、紙幣カセットと接続され紙幣を搬送する搬送部と、紙幣カセットから搬送された紙幣を鑑別する鑑別部と、搬送部と接続され紙幣を出金する出金部と、正常ではないと鑑別部において判別された紙幣における表裏又は正倒立方向の少なくとも一方を反転させた状態で前記紙幣を前記鑑別部へ進行させ、前記鑑別部において再度鑑別させる制御部とを設けるようにした。
【００１１】
これにより本発明は、リジェクト紙幣であると一旦誤判別してしまった紙幣の表裏又は正倒立方向の少なくともどちらかを反転させて再度紙幣を鑑別し直すことにより、正常な紙幣であると正しく鑑別することができる。
【発明の効果】
【００１２】
本発明によれば、リジェクト紙幣であると一旦誤判別してしまった紙幣の表裏又は正倒立方向の少なくともどちらかを反転させて再度紙幣を鑑別し直すことにより、正常な紙幣であると正しく鑑別することができる。かくして本発明は、信頼性を向上し得る現金処理装置を実現できる。
【図面の簡単な説明】
【００１３】
【図１】紙幣処理装置の内部構成を示す左側面図である。
【図２】紙幣の搬送方向を示す図である。
【図３】第１の実施の形態による入金処理手順を示すフローチャートである。
【図４】第１及び第２の実施の形態による入金処理における紙幣の経路を示す左側面図である。
【図５】第１の実施の形態による出金処理手順を示すフローチャートである。
【図６】第１の実施の形態による出金処理における紙幣の経路を示す左側面図である。
【図７】第２の実施の形態による入金処理手順を示すフローチャートである。
【図８】第２の実施の形態による入金処理においてリジェクト率がリジェクト率閾値未満の場合における紙幣の経路を示す左側面図である。
【図９】第２の実施の形態による出金処理手順（１）を示すフローチャートである。
【図１０】第２の実施の形態による出金処理手順（２）を示すフローチャートである。
【図１１】第２の実施の形態による出金処理における紙幣の経路を示す左側面図である。
【図１２】従来の入金処理における紙幣の経路を示す左側面図である。
【図１３】従来の出金処理における紙幣の経路を示す左側面図である。
【発明を実施するための形態】
【００１４】
以下、発明を実施するための形態（以下実施の形態とする）について、図面を用いて説明する。
【００１５】
［１．第１の実施の形態］
［１−１．紙幣処理装置の構成］
図１に示すように、第１の実施の形態による紙幣処理装置１は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。以下では、紙幣処理装置１のうち使用者が対峙する正面側を前側とし、その反対を後側とし、前側から見た場合の左及び右をそれぞれ左側及び右側とし、さらに上側及び下側を定義して説明する。
【００１６】
紙幣処理装置１には、筐体１０の内部に、制御部１１、入金部１２、第１出金部１３ａ、第２出金部１３ｂ、搬送部１５、鑑別部１６、一時保留部１７、複数の紙幣カセット１８及び収納専用カセット１９が設けられている。
【００１７】
制御部１１は、紙幣処理装置１の全体を統括的に制御する。この制御部１１は、図示しないＣＰＵ（Central Processing Unit）を中心に構成され、図示しないＲＯＭやフラッシュメモリ等から所定のプログラムを読み出して実行することにより、図示しない上位の上位制御部等と連携しながら、入金処理や出金処理等のような種々の処理を行う。また制御部１１は、内部にＲＡＭ（Random Access Memory）、ハードディスクドライブやフラッシュメモリ等でなる記憶部１４を有しており、この記憶部１４に種々の情報やプログラム等を記憶させる。
【００１８】
入金部１２は、筐体１０の上側に配置されており、集積された紙幣が使用者により集積空間内に投入されると、これを１枚ずつに分離する分離処理を行って繰り出し、搬送部１５に引き渡す。第１出金部１３ａは、入金部１２の前方に配置されており、搬送部１５から紙幣が搬送されてくると紙幣を集積空間内へ放出して集積させた後、シャッタを開放して使用者に紙幣を取り出させる。第２出金部１３ｂは、第１出金部１３ａの前方に配置されており、搬送部１５から紙幣が搬送されてくると紙幣を集積空間内へ放出して集積させた後、該シャッタを開放して使用者に紙幣を取り出させる。以下では第１出金部１３ａ及び第２出金部１３ｂをまとめて出金部１３とも呼ぶ。
【００１９】
搬送部１５は、筐体１０内の各部を結ぶ搬送路Ｙに沿って配置された各種ローラやベルト、並びにこれらを駆動するためのギアやモータ等により構成されている。搬送路Ｙは、主に環状に形成されており、この環状の部分に、入金部１２、第１出金部１３ａ、第２出金部１３ｂ、一時保留部１７、紙幣カセット１８及び収納専用カセット１９が接続されている。また搬送部１５は、搬送路Ｙの分岐点に図示しない切替器を適宜配置している。この搬送部１５は、制御部１１の制御に基づき、搬送路Ｙに沿って紙幣を搬送すると共に、切替器により該紙幣の搬送先を切り替える。因みに図１では、搬送部１５を構成する部品の一部のみを模式的に示している。
【００２０】
鑑別部１６は、入金部１２の後方下側であって、搬送部１５の搬送路Ｙ上に配置されている。この鑑別部１６は、種々のセンサを有しており、搬送部１５により搬送されてくる紙幣の券種、真偽、正損、走行状態等を基に、取り扱うことのできる取扱可能紙幣であるか否かを鑑別し、その鑑別結果を制御部１１へ送出する。また鑑別部１６は、紙幣における損傷の程度を基に、再利用することができる再利用可能紙幣であるか否かを鑑別し、その鑑別結果を制御部１１へ送出することもできる。例えば紙幣が斜行（スキュー）している場合、鑑別部１６は、該紙幣の券種を認識することができない可能性があり、そのような場合、該紙幣は券種不明券であるとの鑑別結果を制御部１１へ送出する。
【００２１】
［１−２．紙幣の搬送方向について］
ここで図２に示すように、鑑別部１６を通過する際、紙幣ＢＬは、例えば平面視において表面正立状態（図２（Ａ））、表面倒立状態（図２（Ｂ））、裏面正立状態（図２（Ｃ））及び裏面倒立状態（図２（Ｄ））の４通りの向きの状態となり得る。正立状態とは、紙幣ＢＬにおける文字及び記号が上下方向において正立の状態であり、倒立状態とは、正立状態から上下反転した状態、すなわち倒立した状態である。また、紙幣ＢＬにおける正立状態での文字及び記号の上方向の端部を紙幣ＢＬの上側端部、下方向の端部を紙幣ＢＬの下側端部とも呼ぶ。
【００２２】
また、紙幣ＢＬが表面を紙幣処理装置１の上側に向けた状態で下側端部から鑑別部１６に進入していく状態（図２（Ａ））を、鑑別部１６に対し搬送方向を表面正立方向Ｄｆｕに向けた状態で紙幣が搬送されるとする。さらに、紙幣ＢＬが表面を紙幣処理装置１の上側に向けた状態で上側端部から鑑別部１６に進入していく状態（図２（Ｂ））を、鑑別部１６に対し搬送方向を表面倒立方向Ｄｆｉに向けた状態で紙幣が搬送されるとする。さらに、紙幣ＢＬが裏面を紙幣処理装置１の上側に向けた状態で下側端部から鑑別部１６に進入していく状態（図２（Ｃ））を、鑑別部１６に対し搬送方向を裏面正立方向Ｄｒｕに向けた状態で紙幣が搬送されるとする。さらに、紙幣ＢＬが裏面を紙幣処理装置１の上側に向けた状態で上側端部から鑑別部１６に進入していく状態（図２（Ｄ））を、鑑別部１６に対し搬送方向を裏面倒立方向Ｄｒｉに向けた状態で紙幣が搬送されるとする。
【００２３】
ここで、鑑別部１６に進入する際の紙幣の搬送方向を、表面正立方向Ｄｆｕ（図２（Ａ））から表面倒立方向Ｄｆｉ（図２（Ｂ））へ、又は表面倒立方向Ｄｆｉ（図２（Ｂ））から表面正立方向Ｄｆｕ（図２（Ａ））へ向きを変えることと、裏面正立方向Ｄｒｕ（図２（Ｃ））から裏面倒立方向Ｄｒｉ（図２（Ｄ））へ、又は裏面倒立方向Ｄｒｉ（図２（Ｄ））から裏面正立方向Ｄｒｕ（図２（Ｃ））へ向きを変えることとを、紙幣の正倒立方向を反転するとも呼ぶ。
【００２４】
また紙幣の表面正立状態（図２（Ａ））から裏面倒立状態（図２（Ｄ））へ、又は裏面正立状態（図２（Ｃ））から表面倒立状態（図２（Ｂ））へ向きを変えることと、表面倒立状態（図２（Ｂ））から裏面正立状態（図２（Ｃ））へ、又は裏面倒立状態（図２（Ｄ））から表面正立状態（図２（Ａ））へ向きを変えることとを、紙幣の表裏を反転すると呼ぶ。
【００２５】
一時保留部１７は、第２出金部１３ｂの下側に配置されており、搬送路Ｙにおける環状の部分に、紙幣の搬送方向を３方向へ切り替える３ウェイの切替器を介し接続されている。この一時保留部１７は、搬送部１５により搬送されてきた紙幣を内部に一時的に収納して保留し、また保留している紙幣を１枚ずつ搬送部１５へ繰り出す。
【００２６】
筐体１０内の下部には、収納専用カセット１９が最も前側で、その後ろに紙幣カセット１８ａ、１８ｂ、１８ｃ、１８ｄ及び１８ｅが前後方向に並んで設けられている。以下では紙幣カセット１８ａ、１８ｂ、１８ｃ、１８ｄ及び１８ｅをまとめて紙幣カセット１８とも呼ぶ。各紙幣カセット１８は、指定された金種の紙幣を集積した状態で収納する集積空間と、搬送部１５から搬送されてきた紙幣を該集積空間内へ放出して集積させる放出機構と、集積空間内に集積されている紙幣を１枚ずつに分離して繰り出し搬送部１５に引き渡す分離機構等を有している。この紙幣カセット１８は、搬送部１５から搬送されてくる紙幣（正常紙幣）を上下方向に重ねて内部に収納し、また収納している紙幣を１枚ずつ繰り出して搬送部１５へ受け渡す。
【００２７】
収納専用カセット１９は、内部に紙幣を収納する集積空間や、搬送部１５から搬送されてきた紙幣を該集積空間内へ放出して集積させる放出機構等を有している。この収納専用カセット１９は、鑑別部１６において再利用不可能と鑑別された紙幣（リジェクト紙幣）が搬送部１５により搬送されてくると、内部に収納する。
【００２８】
［１−３．入金処理］
次に、紙幣処理装置１による入金処理の具体的な処理手順について、図３に示すフローチャートを用いて詳細に説明する。なお図４、図６、図８及び図１１においては、紙幣処理装置１内部を簡略化して図示している。この紙幣処理装置１は、入金時において入金対象紙幣を一時保留部１７へ一旦保留せずに、紙幣カセット１８へ直接搬送するよう制御する、いわゆるダイレクト入金を行う。
【００２９】
紙幣処理装置１の制御部１１は、使用者が入金取引を行う場合、記憶部１４から入金処理プログラムを読み出して実行することにより図３に示す入金処理手順ＲＴ１を開始し、ステップＳＰ１へ移る。ステップＳＰ１において制御部１１は、入金部１２のシャッタを開いて入金部１２内へ紙幣を投入させ、該紙幣を１枚ずつ鑑別部１６へ搬送することにより鑑別させて鑑別結果を取得し、ステップＳＰ２へ移る。
【００３０】
ステップＳＰ２において制御部１１は、鑑別結果が正常であるか否かを判定する。ここで肯定結果が得られると、このことは鑑別結果が正常であったため紙幣が入金対象紙幣であることを表し、このとき制御部１１はステップＳＰ３へ移る。ステップＳＰ３において制御部１１は、図４（Ａ）に示すように切替器をルートＲ１へ切り替え、紙幣を鑑別部１６から各紙幣カセット１８（例えば紙幣カセット１８ｅ）へ搬送してステップＳＰ５へ移る。一方ステップＳＰ２において否定結果が得られると、このことは紙幣が入金対象外紙幣であることを表し、このとき制御部１１はステップＳＰ４へ移る。ステップＳＰ４において制御部１１は、図４（Ａ）に示すように切替器をルートＲ２へ切り替え、紙幣を鑑別部１６から一時保留部１７へ搬送してステップＳＰ５へ移る。
【００３１】
ステップＳＰ５において制御部１１は、紙幣検知センサにより入金部１２内に搬送部１５へ繰り出すべき紙幣が存在するか否かを判定する。ここで肯定結果が得られると、このことは投入された紙幣が未だ入金部１２に残留していることを表し、このとき制御部１１はステップＳＰ１へ戻り、入金部１２から次の紙幣を搬送部１５へ繰り出す。一方ステップＳＰ５において否定結果が得られると、このことは投入された全ての紙幣を入金部１２から搬送部１５へ繰り出したことを表し、このとき制御部１１はステップＳＰ６へ移る。
【００３２】
ステップＳＰ６において制御部１１は、入金部１２から繰り出した紙幣に一時保留部１７へ搬送した入金対象外紙幣が存在するか否かを判定する。ここで肯定結果が得られると、このことは一時保留部１７へ搬送した入金対象外紙幣が存在することを表し、このとき制御部１１はステップＳＰ７へ移る。一方ステップＳＰ６において否定結果が得られると、このことは一時保留部１７へ搬送した入金対象外紙幣は存在せず、入金部１２に投入された全ての紙幣を入金対象紙幣と判定したことを表し、このとき制御部１１はステップＳＰ１５へ移り、入金処理手順ＲＴ１を終了する。
【００３３】
ステップＳＰ７において制御部１１は、一時保留部１７に保持した紙幣を、搬送部１５における３ウェイの切替器を介し、環状の搬送路Ｙにおいて、一時保留部１７へ進入してきた下方向とは逆の上方向へ戻し、鑑別部１６へ再度搬送することにより再度鑑別させて鑑別結果を取得し、ステップＳＰ８へ移る。このとき、入金部１２から鑑別部１６へ搬送され最初に鑑別された際に、紙幣が表面正立方向Ｄｆｕ（図２（Ａ））で鑑別部１６へ進入していた場合、再度鑑別される際には、表裏及び正倒立方向が反転され、裏面倒立方向Ｄｒｉ（図２（Ｄ））で鑑別部１６へ進入することとなる。
【００３４】
ステップＳＰ８において制御部１１は、鑑別結果が正常であるか否かを判定する。ここで肯定結果が得られると、このことは表裏及び正倒立方向を反転させた結果、鑑別結果が正常であったため紙幣が入金対象紙幣であることを表し、このとき制御部１１はステップＳＰ９へ移る。ステップＳＰ９において制御部１１は、図４（Ｂ）に示すように切替器をルートＲ３へ切り替え、紙幣を鑑別部１６から各紙幣カセット１８（例えば紙幣カセット１８ｅ）へ搬送してステップＳＰ１１へ移る。一方ステップＳＰ８において否定結果が得られると、このことは表裏及び正倒立方向を反転させても、紙幣が入金対象外紙幣であることを表し、このとき制御部１１はステップＳＰ１０へ移る。ステップＳＰ１０において制御部１１は、図４（Ｂ）に示すように切替器をルートＲ４へ切り替え、紙幣を鑑別部１６からリジェクト券専用カセットである空の例えば紙幣カセット１８ｄへ搬送してステップＳＰ１１へ移る。
【００３５】
ステップＳＰ１１において制御部１１は、紙幣検知センサにより一時保留部１７内に搬送部１５へ繰り出すべき紙幣が存在するか否かを判定する。ここで肯定結果が得られると、このことは一旦収納された紙幣が未だ一時保留部１７に残留していることを表し、このとき制御部１１はステップＳＰ７へ戻り、一時保留部１７から次の紙幣を搬送部１５へ繰り出す。一方ステップＳＰ１１において否定結果が得られると、このことは一旦収納された全ての紙幣を一時保留部１７から搬送部１５へ繰り出したことを表し、このとき制御部１１はステップＳＰ１２へ移る。
【００３６】
ステップＳＰ１２において制御部１１は、図４（Ｃ）に示すように切替器をルートＲ５へ切り替え、入金対象外紙幣をリジェクト券専用カセットである紙幣カセット１８ｄから第１出金部１３ａへ搬送し、ステップＳＰ１３へ移る。
【００３７】
ステップＳＰ１３において制御部１１は、紙幣検知センサによりリジェクト券専用カセットである紙幣カセット１８ｄ内に搬送部１５へ繰り出すべき入金対象外紙幣が存在するか否かを判定する。ここで肯定結果が得られると、このことは一旦収納された紙幣が未だリジェクト券専用カセットである紙幣カセット１８ｄ内に残留していることを表し、このとき制御部１１はステップＳＰ１２へ戻り、紙幣カセット１８ｄから次の紙幣を搬送部１５へ繰り出す。一方ステップＳＰ１３において否定結果が得られると、このことは一旦収納された全ての紙幣を紙幣カセット１８ｄから搬送部１５へ繰り出したことを表し、このとき制御部１１はステップＳＰ１４へ移る。このとき紙幣が鑑別部１６を通過するものの、制御部１１は、鑑別部１６において鑑別は行わせない。
【００３８】
ステップＳＰ１４において制御部１１は、第１出金部１３ａのシャッタを開いて使用者に入金対象外紙幣を受け渡すことにより、入金対象外紙幣を返却し、ステップＳＰ１５へ移り、入金処理手順ＲＴ１を終了する。
【００３９】
このように紙幣処理装置１は、鑑別した結果、紙幣が入金対象外紙幣であると一旦判定した場合、この紙幣を一時保留部１７へ搬送して保留させてから繰り出すことにより、紙幣の表裏及び正倒立方向を反転させてから再度鑑別し、入金対象紙幣であると判定された場合、紙幣カセット１８に収納するようにした。
【００４０】
［１−４．出金処理］
次に、紙幣処理装置１による出金処理の具体的な処理手順について、図５に示すフローチャートを用いて詳細に説明する。この紙幣処理装置１は、出金時において出金対象紙幣を一時保留部１７へ一旦保留せずに、第１出金部１３ａへ直接搬送するよう制御する、いわゆるダイレクト出金を行う。
【００４１】
紙幣処理装置１の制御部１１は、使用者が出金取引を行う場合、記憶部１４から出金処理プログラムを読み出して実行することにより図５に示す出金処理手順ＲＴ２を開始し、使用者により操作表示部（図示せず）を介して出金取引が選択され出金金額が入力されると、要求金額に応じて必要な金種毎の紙幣枚数を認識し、ステップＳＰ２１へ移る。ステップＳＰ２１において制御部１１は、要求金額に応じた金種毎の紙幣枚数に応じて各紙幣カセット１８（例えば紙幣カセット１８ｅ）から紙幣を繰り出して鑑別部１６へ搬送することにより鑑別させて鑑別結果を取得し、ステップＳＰ２２へ移る。
【００４２】
ステップＳＰ２２において制御部１１は、鑑別結果が正常であるか否かを判定する。ここで肯定結果が得られると、このことは鑑別結果が正常であったため紙幣が出金対象紙幣であることを表し、このとき制御部１１はステップＳＰ２３へ移る。ステップＳＰ２３において制御部１１は、図６（Ａ）に示すように切替器をルートＲ６へ切り替え、紙幣を鑑別部１６から第１出金部１３ａへ搬送してステップＳＰ２５へ移る。一方ステップＳＰ２２において否定結果が得られると、このことは紙幣が出金対象外紙幣であることを表し、このとき制御部１１はステップＳＰ２４へ移る。ステップＳＰ２４において制御部１１は、図６（Ａ）に示すように切替器をルートＲ７へ切り替え、紙幣を鑑別部１６から一時保留部１７へ搬送してステップＳＰ２５へ移る。
【００４３】
ステップＳＰ２５において制御部１１は、指定された枚数分だけ紙幣を例えば紙幣カセット１８ｅから繰り出したか否かを判定する。ここで否定結果が得られると、このことは要求金額に応じた枚数分の紙幣を未だ紙幣カセット１８ｅから繰り出していないことを表し、このとき制御部１１はステップＳＰ２６へ移る。ステップＳＰ２６において制御部１１は、指定された金種の紙幣カセット１８（例えば紙幣カセット１８ｅ）の中身が空になったか否かを判定する。ここで否定結果が得られると、このことは要求金額に応じた枚数分の紙幣を未だ紙幣カセット１８ｅから繰り出しておらず、且つ、紙幣カセット１８ｅには紙幣がまだ残っていることを表し、このとき制御部１１はステップＳＰ２１へ戻り、紙幣カセット１８ｅから次の紙幣を鑑別部１６へ繰り出す。
【００４４】
一方ステップＳＰ２５において肯定結果が得られると、このことは、要求金額に応じた枚数分の紙幣を第１出金部１３ａへ集積させたか否かは不明ではあるものの、指定された枚数分だけ紙幣を紙幣カセット１８ｅから繰り出したことを表し、このとき制御部１１はステップＳＰ２７へ移る。また一方ステップＳＰ２６において肯定結果が得られると、このことは、指定された金種の紙幣カセット１８（例えば紙幣カセット１８ｅ）の中身が空になったためこれ以上紙幣カセット１８ｅから紙幣を繰り出すことができないことを表し、このとき制御部１１はステップＳＰ２７へ移る。
【００４５】
ステップＳＰ２７において制御部１１は、紙幣カセット１８から繰り出した紙幣に一時保留部１７へ搬送した出金対象外紙幣が存在するか否かを判定する。ここで肯定結果が得られると、このことは一時保留部１７へ搬送した出金対象外紙幣が存在することを表し、このとき制御部１１はステップＳＰ２８へ移る。一方ステップＳＰ２７において否定結果が得られると、このことは一時保留部１７へ搬送した出金対象外紙幣は存在せず、紙幣カセット１８から繰り出した全ての紙幣を出金対象紙幣と判定したことを表し、このとき制御部１１はステップＳＰ３６へ移り、第１出金部１３ａのシャッタを開いて使用者に出金対象紙幣を受け渡すことにより出金対象紙幣を出金し、ステップＳＰ３７へ移り出金処理手順ＲＴ２を終了する。ここで、ステップＳＰ２５において指定された枚数分の紙幣が第１出金部１３ａへ搬送されていない状態で、ステップＳＰ２６において指定された金種の紙幣カセット１８が空になり、ステップＳＰ２７において一時保留部２７に出金対象外紙幣が存在しなかった場合は、指定された枚数分の紙幣が第１出金部１３ａに出金されていないことになる。このような場合制御部１１は、ステップＳＰ３６で第１出金部１３ａのシャッタを開ける際に、出金金額が不足している旨を操作表示部（図示せず）へ表示する。
【００４６】
ステップＳＰ２８において制御部１１は、一時保留部１７に保持した紙幣を鑑別部１６へ正倒立方向を反転させて再度搬送することにより再度鑑別させて鑑別結果を取得し、ステップＳＰ２９へ移る。
【００４７】
ステップＳＰ２９において制御部１１は、鑑別結果が正常であるか否かを判定する。ここで肯定結果が得られると、このことは正倒立方向を反転させた結果、鑑別結果が正常であったため紙幣が出金対象紙幣であることを表し、このとき制御部１１はステップＳＰ３０へ移る。ステップＳＰ３０において制御部１１は、図６（Ｂ）に示すように切替器をルートＲ８へ切り替え、紙幣を鑑別部１６から、現在一時保留部１７に保留している紙幣の繰り出し元の紙幣カセット１８（紙幣カセット１８ｅ）とは別の、空の紙幣カセット１８（例えば紙幣カセット１８ｄ）へ搬送してステップＳＰ３２へ移る。一方ステップＳＰ２９において否定結果が得られると、このことは正倒立方向を反転させても、紙幣が出金対象外紙幣であることを表し、このとき制御部１１はステップＳＰ３１へ移る。ステップＳＰ３１において制御部１１は、図６（Ｂ）に示すように切替器をルートＲ９へ切り替え、出金対象外紙幣を鑑別部１６から収納専用カセット１９へ搬送してステップＳＰ３２へ移る。
【００４８】
ステップＳＰ３２において制御部１１は、紙幣検知センサにより一時保留部１７内に搬送部１５へ繰り出すべき紙幣が存在するか否かを判定する。ここで肯定結果が得られると、このことは一旦収納された紙幣が未だ一時保留部１７に残留していることを表し、このとき制御部１１はステップＳＰ２８へ戻り、一時保留部１７から次の紙幣を搬送部１５へ繰り出す。一方ステップＳＰ３２において否定結果が得られると、このことは一旦収納された全ての紙幣を一時保留部１７から搬送部１５へ繰り出したことを表し、このとき制御部１１はステップＳＰ３３へ移る。
【００４９】
ステップＳＰ３３において制御部１１は、図６（Ｃ）に示すように切替器をルートＲ１０へ切り替え、出金対象紙幣を紙幣カセット１８ｄから第１出金部１３ａへ搬送し、ステップＳＰ３４へ移る。
【００５０】
ステップＳＰ３４において制御部１１は、紙幣検知センサにより紙幣カセット１８ｄ内に搬送部１５へ繰り出すべき出金対象紙幣が存在するか否かを判定する。ここで肯定結果が得られると、このことは一旦収納された紙幣が未だ紙幣カセット１８ｄ内に残留していることを表し、このとき制御部１１はステップＳＰ３３へ戻り、紙幣カセット１８ｄから次の紙幣を搬送部１５へ繰り出す。一方ステップＳＰ３４において否定結果が得られると、このことは一旦収納された全ての紙幣を紙幣カセット１８ｄから搬送部１５へ繰り出したことを表し、このとき制御部１１はステップＳＰ３５へ移る。このとき紙幣が鑑別部１６を通過するものの、制御部１１は、鑑別部１６において鑑別は行わせない。
【００５１】
ステップＳＰ３５において制御部１１は、指定された枚数分の紙幣を第１出金部１３ａへ集積させたか否かを判定する。ここで否定結果が得られると、このことは、指定された枚数分だけ紙幣を紙幣カセット１８ｅから繰り出したものの、収納専用カセット１９へ収納された出金対象外紙幣が含まれていたため、要求金額に応じた枚数分の紙幣を未だ第１出金部１３ａへ集積させていないことを表し、このとき制御部１１はステップＳＰ２１へ戻り、上述した処理を繰り返す。一方ステップＳＰ３５において肯定結果が得られると、このことは要求金額に応じた枚数分の紙幣を第１出金部１３ａへ集積させたことを表し、このとき制御部１１はステップＳＰ３６へ移る。
【００５２】
ステップＳＰ３６において制御部１１は、第１出金部１３ａのシャッタを開いて使用者に出金対象紙幣を受け渡すことにより、出金対象紙幣を出金し、ステップＳＰ３７へ移り、出金処理手順ＲＴ２を終了する。
【００５３】
このように紙幣処理装置１は、鑑別した結果、紙幣が出金対象外紙幣であると一旦判定した場合、この紙幣を一時保留部１７へ搬送して保留させてから繰り出すことにより、紙幣の正倒立状態を反転させてから再度鑑別し、入金対象紙幣であると判定された場合、紙幣カセット１８に収納するようにした。
【００５４】
［１−５．効果等］
以上の構成において紙幣処理装置１は、入金取引において、入金部１２から紙幣を分離して鑑別してから入金対象紙幣を紙幣カセット１８に収納し、入金対象外紙幣を一時保留部１７へ保留し、表裏及び正倒立方向を反転させて鑑別部１６において再度鑑別し、入金対象紙幣と判別した場合、該入金対象紙幣を紙幣カセット１８に収納するようにした。また紙幣処理装置１は、再度鑑別しても入金対象外紙幣と判別した紙幣を、第１出金部１３ａへ搬送して使用者に返却するようにした。
【００５５】
このため紙幣処理装置１は、入金取引において、実際には入金対象紙幣であったにもかかわらず入金対象外紙幣と誤判別してしまった紙幣の表裏及び正倒立方向を反転させた状態で鑑別部１６へ再度進入させ、再度紙幣を鑑別し直すことができる。これにより紙幣処理装置１は、入金取引時において、鑑別部１６で入金対象外紙幣と誤判別してしまう枚数を減らすことができ、鑑別部１６の誤判別に起因するリジェクト率を低減できる。
【００５６】
また紙幣処理装置１は、出金取引において、使用者に指定された金種が収納された紙幣カセット１８から、指定された枚数の紙幣を分離して鑑別し、出金対象紙幣を第１出金部１３ａへ集積し、出金対象外紙幣を一時保留部１７へ保留してから正倒立方向を反転させて鑑別部１６において再度鑑別し、出金対象紙幣と判別した場合、該出金対象紙幣を繰り出し元の紙幣カセット１８を介して第１出金部１３ａへ集積するようにした。さらに紙幣処理装置１は、指定された枚数分の紙幣が第１出金部１３ａに集積されていない場合、再度紙幣カセット１８から紙幣を繰り出し、出金対象紙幣を第１出金部１３ａへ集積し、出金対象外紙幣を一時保留部１７へ保留するようにした。
【００５７】
このため紙幣処理装置１は、出金取引において、実際には出金対象紙幣であったにもかかわらず出金対象外紙幣と誤判別してしまった紙幣の正倒立方向を反転させた状態で鑑別部１６へ再度進入させ、再度紙幣を鑑別し直すことができる。これにより紙幣処理装置１は、出金取引時において、鑑別部１６で出金対象外紙幣と誤判別してしまう枚数を減らすことができ、鑑別部１６の誤判別に起因するリジェクト率を低減できる。
【００５８】
これにより紙幣処理装置１は、鑑別部１６を通過する紙幣の４通りの向きのうち、誤判別しやすい１通りの向きの状態から、表裏か又は正倒立方向の少なくとも一方を反転させることができ、再度鑑別により正しく鑑別できる。
【００５９】
以上の構成によれば紙幣処理装置１は、入金される紙幣を受け付ける入金部１２と、入金部１２と接続され紙幣を搬送する搬送部１５と、入金部１２から搬送された紙幣を鑑別する鑑別部１６と、正常ではないと鑑別部１６において判別された紙幣における表裏又は正倒立方向の少なくとも一方を反転させた状態で紙幣を鑑別部１６へ進行させ、鑑別部１６において再度鑑別させる制御部１１とを設けるようにした。
【００６０】
また紙幣処理装置１は、紙幣を収納する紙幣カセット１８と、紙幣カセット１８と接続され紙幣を搬送する搬送部１５と、紙幣カセット１８から搬送された紙幣を鑑別する鑑別部１６と、搬送部１５と接続され紙幣を出金する第１出金部１３ａと、正常ではないと鑑別部１６において判別された紙幣における表裏又は正倒立方向の少なくとも一方を反転させた状態で紙幣を鑑別部１６へ進行させ、鑑別部１６において再度鑑別させる制御部１１とを設けるようにした。
【００６１】
これにより紙幣処理装置１は、リジェクト紙幣であると一旦誤判別してしまった紙幣の表裏又は正倒立方向の少なくともどちらかを反転させて再度紙幣を鑑別し直すことにより、正常な紙幣であると正しく鑑別することができる。
【００６２】
［２．第２の実施の形態］
［２−１．紙幣処理装置の構成］
図１に示すように、第２の実施の形態による紙幣処理装置１０１は、第１の実施の形態による紙幣処理装置１と比較して、制御部１１に代わる制御部１１１を有する点において相違するものの、他の点については同様に構成されている。
【００６３】
［２−２．入金処理］
次に、紙幣処理装置１０１による入金処理手順ＲＴ１０１について、図３と対応するステップに同一符号を付した図７に示すフローチャートを用いて説明する。入金処理手順ＲＴ１０１は、入金処理手順ＲＴ１（図３）と比較して、ステップＳＰ４１、ＳＰ４２及びＳＰ４３が追加されている点において相違するものの、他の点については同様に構成されている。
【００６４】
ステップＳＰ１〜ステップＳＰ６において制御部１１１は、入金処理手順ＲＴ１（図３）と同様の処理を行い、図４（Ａ）に示したようにルートＲ１で入金対象紙幣を鑑別部１６から紙幣カセット１８ｅへ搬送する一方、図４（Ａ）に示したようにルートＲ２で入金対象外紙幣を鑑別部１６から一時保留部１７へ搬送し、ステップＳＰ４１へ移る。ステップＳＰ４１において制御部１１１は、入金部１２から繰り出した全ての紙幣のうち、鑑別部１６において入金対象外紙幣と判定された紙幣の割合であるリジェクト率を算出し、該リジェクト率が所定のリジェクト率閾値である２０［％］未満であるか否かを判定する。ここで肯定結果が得られると、このことは、リジェクト率がリジェクト率閾値よりも低いことを表し、このとき制御部１１１はステップＳＰ４２へ移る。
【００６５】
ステップＳＰ４２において制御部１１１は、図４（Ａ）に示した状態から、図８に示すように切替器をルートＲ１０１へ切り替え、入金対象外紙幣を一時保留部１７から第１出金部１３ａへ搬送し、ステップＳＰ４３へ移る。
【００６６】
ステップＳＰ４３において制御部１１１は、紙幣検知センサにより一時保留部１７内に搬送部１５へ繰り出すべき入金対象外紙幣が存在するか否かを判定する。ここで肯定結果が得られると、このことは一旦収納された紙幣が未だ一時保留部１７内に残留していることを表し、このとき制御部１１１はステップＳＰ４２へ戻り、一時保留部１７から次の紙幣を搬送部１５へ繰り出す。一方ステップＳＰ４３において否定結果が得られると、このことは一旦収納された全ての紙幣を一時保留部１７から搬送部１５へ繰り出したことを表し、このとき制御部１１１はステップＳＰ１４へ移り、第１出金部１３ａのシャッタを開いて使用者に入金対象外紙幣を受け渡すことにより、入金対象外紙幣を返却し、ステップＳＰ１５へ移り、入金処理手順ＲＴ１を終了する。
【００６７】
一方ステップＳＰ４１において否定結果が得られると、このことは、リジェクト率がリジェクト率閾値以上であることを表し、このとき制御部１１１はステップＳＰ７へ移り、以降は入金処理手順ＲＴ１（図３）と同様の処理を行い、図４（Ｂ）に示したようにルートＲ３で入金対象紙幣を鑑別部１６から紙幣カセット１８ｅへ搬送する一方、図４（Ｂ）に示したようにルートＲ４で入金対象外紙幣を鑑別部１６から紙幣カセット１８ｄへ搬送し、図４（Ｃ）に示したようにルートＲ５で入金対象外紙幣を紙幣カセット１８ｄから第１出金部１３ａへ搬送する。
【００６８】
［２−３．出金処理］
次に、紙幣処理装置１０１による出金処理手順ＲＴ１０２について、図５と対応するステップに同一符号を付した図９及び図１０に示すフローチャートを用いて説明する。出金処理手順ＲＴ１０２は、出金処理手順ＲＴ２（図５）と比較して、ステップＳＰ３０、ＳＰ３３及びＳＰ３４に代えてステップＳＰ１３０、ＳＰ１３３及びＳＰ１３４が設けられていると共に、ステップＳＰ５１、ステップＳＰ１３６、ステップＳＰ１４０及びステップＳＰ１４２が追加されている点において相違するものの、他の点については同様に構成されている。
【００６９】
ステップＳＰ２１〜ステップＳＰ２４において制御部１１１は、出金処理手順ＲＴ２（図５）と同様の処理を行い、図１１（Ａ）に示すようにルートＲ６（図６（Ａ））と同様のルートＲ１０６で出金対象紙幣を鑑別部１６から第１出金部１３ａへ搬送する一方、図１１（Ａ）に示すようにルートＲ７（図６（Ａ））と同様のルートＲ１０７で出金対象外紙幣を鑑別部１６から一時保留部１７へ搬送し、ステップＳＰ５１へ移る。
【００７０】
ステップＳＰ５１において制御部１１１は、指定された枚数分の紙幣を第１出金部１３ａへ集積させたか否かを判定する。ここで否定結果が得られると、このことは指定された枚数分の紙幣を未だ第１出金部１３ａへ集積させていないことを表し、このとき制御部１１１はステップＳＰ２６へ移り、出金処理手順ＲＴ２（図５）と同様の処理を行う。
【００７１】
一方ステップＳＰ５１において肯定結果が得られると、このことは、要求金額に応じた枚数分の紙幣を第１出金部１３ａへ集積させたことを表し、このとき制御部１１１はステップＳＰ１３６へ移る。
【００７２】
ステップＳＰ１３６において制御部１１１は、第１出金部１３ａのシャッタを開いて使用者に出金対象紙幣を受け渡すことにより、出金対象紙幣を出金し、シャッタを閉じ、ステップＳＰ２７（図１０）へ移る。また、ステップＳＰ２６において肯定結果を得ると、制御部１１１はステップＳＰ２７（図１０）へ移る。ステップＳＰ２７において制御部１１１は、紙幣カセット１８から繰り出した紙幣に一時保留部１７へ搬送した出金対象外紙幣が存在する場合はステップＳＰ２８へ移る一方、存在しない場合はステップＳＰ１４２へ移る。
【００７３】
ステップＳＰ２８において制御部１１１は、出金処理手順ＲＴ２（図５）と同様に、一時保留部１７に保持した紙幣を鑑別部１６へ再度搬送することにより正倒立方向を反転させて再度鑑別させて鑑別結果を取得し、ステップＳＰ２９へ移る。
【００７４】
ステップＳＰ２９において制御部１１１は、出金処理手順ＲＴ２（図５）と同様に、鑑別結果が正常であるか否かを判定する。ここで肯定結果が得られると、このことは正倒立方向を反転させた結果、鑑別結果が正常であったため紙幣が出金対象紙幣であることを表し、このとき制御部１１１はステップＳＰ１３０へ移る。ステップＳＰ１３０において制御部１１１は、図１１（Ｂ）に示すように切替器をルートＲ１０４へ切り替え、紙幣を鑑別部１６から、現在一時保留部１７に保留している紙幣の繰り出し元の紙幣カセット１８（紙幣カセット１８ｅ）へ搬送してステップＳＰ３２へ移る。一方ステップＳＰ２９において否定結果が得られると、このことは正倒立方向を反転させても、紙幣が金対象外紙幣であることを表し、このとき制御部１１１はステップＳＰ３１へ移る。ステップＳＰ３１において制御部１１１は、出金処理手順ＲＴ２（図５）と同様に、図１１（Ｂ）に示すように切替器をルートＲ１０５へ切り替え、出金対象外紙幣を鑑別部１６から収納専用カセット１９へ搬送してステップＳＰ３２へ移る。
【００７５】
ステップＳＰ３２において制御部１１１は、紙幣検知センサにより一時保留部１７内に搬送部１５へ繰り出すべき紙幣が存在するか否かを判定する。ここで肯定結果が得られると、このことは一旦収納された紙幣が未だ一時保留部１７に残留していることを表し、このとき制御部１１１はステップＳＰ２８へ戻り、一時保留部１７から次の紙幣を搬送部１５へ繰り出す。一方ステップＳＰ３２において否定結果が得られると、このことは一旦収納された全ての紙幣を一時保留部１７から搬送部１５へ繰り出したことを表し、このとき制御部１１１はステップＳＰ１４０へ移る。
【００７６】
ステップＳＰ１４０において制御部１１１は、指定された枚数分の紙幣を第１出金部１３ａへ集積させたか否かを判定する。ここで肯定結果が得られると、このことは要求金額に応じた枚数分の紙幣を既に第１出金部１３ａへ集積させたことを表し、このとき制御部１１１はステップＳＰ１４２へ移る。一方ステップＳＰ１４０において否定結果が得られると、このことは指定された枚数分の紙幣を未だ第１出金部１３ａへ集積させていないことを表し、このとき制御部１１１はステップＳＰ１３４へ移る。
【００７７】
ステップＳＰ１３４において制御部１１１は、紙幣検知センサにより紙幣カセット１８ｅ内に搬送部１５へ繰り出すべき出金対象紙幣が存在するか否かを判定する。ここで肯定結果が得られると、このことは一旦収納された紙幣が未だ紙幣カセット１８ｅ内に残留していることを表し、このとき制御部１１１はステップＳＰ１３３へ移る。ステップＳＰ１３３において制御部１１１は、図１１（Ｃ）に示すように切替器をルートＲ１０６へ切り替え、出金対象紙幣を紙幣カセット１８ｅから第１出金部１３ａへ搬送し、ステップＳＰ１４０へ戻る。一方ステップＳＰ１３４において否定結果が得られると、このことは一旦収納された全ての紙幣を紙幣カセット１８ｅから搬送部１５へ繰り出したことを表し、このとき制御部１１１はステップＳＰ１４２へ移る。このとき紙幣が鑑別部１６を通過するものの、制御部１１１は、鑑別部１６において鑑別は行わせない。
【００７８】
ステップＳＰ１４２において制御部１１１は、第１出金部１３ａに残留している紙幣があるか否かを判定する。ここで否定結果が得られると、制御部１１１はステップＳＰ３７へ移り、出金処理手順ＲＴ１０２を終了する。一方ステップＳＰ１４２において肯定結果が得られると、制御部１１１はステップＳＰ３６へ移り、第１出金部１３ａのシャッタを開いて使用者に出金対象紙幣を受け渡すことにより出金対象紙幣を出金し、シャッタを閉じ、ステップＳＰ３７へ移り出金処理手順ＲＴ１０２を終了する。ここで、ステップＳＰ５１において指定された枚数分の紙幣が第１出金部１３ａへ搬送されていない状態で、ステップＳＰ２６において指定された金種の紙幣カセット１８が空になり、ステップＳＰ２７において一時保留部２７に出金対象外紙幣が存在しなかった場合やステップＳＰ３１において収納専用カセット１７へ搬送した場合は、指定された枚数分の紙幣が第１出金部１３ａに出金されていないことになる。このような場合制御部１１１は、ステップＳＰ３６で第１出金部１３ａのシャッタを開ける際に、出金金額が不足している旨を操作表示部（図示せず）へ表示する。
【００７９】
［２−４．効果等］
以上の構成において紙幣処理装置１０１は、入金取引において、リジェクト率とリジェクト率閾値とを比較し、リジェクト率がリジェクト率閾値未満である場合、紙幣を入金対象外紙幣と判別された紙幣を再度鑑別せずに、第１出金部１３ａへ搬送して返却するようにした。
【００８０】
ここで、第１の実施の形態による紙幣処理装置１は、入金取引において、入金部１２から搬送され入金対象外紙幣と判別されて一時保留部１７に保留された紙幣を表裏及び正倒立方向を反転させて鑑別部１６へ搬送して再度鑑別してから、入金対象外紙幣と再度判別された紙幣を第１出金部１３ａへ返却したため、入金取引に時間を要していた。
【００８１】
これに対し紙幣処理装置１０１は、入金取引において、リジェクト率がリジェクト率閾値未満の場合、一時保留部１７から入金対象外紙幣を第１出金部１３ａへ搬送して返却するようにした。このため紙幣処理装置１０１は、リジェクト率がリジェクト率閾値未満の場合、鑑別部１６において再度鑑別しないため、紙幣処理装置１と比較して、入金取引において使用者に入金金額を確定させるまでに要する取引時間を短縮できる。またリジェクト率がリジェクト率閾値未満の場合は、使用者に返却する紙幣の枚数は少なく、使用者に投入された紙幣のほとんどは入金できることとなるため、紙幣処理装置１０１は、実用上問題なく運用を行うことができる。
【００８２】
また紙幣処理装置１０１は、出金取引において、使用者に指定された金種が収納された紙幣カセット１８から紙幣を分離して鑑別し、指定された枚数の紙幣を第１出金部１３ａへ一度に出金しきるか、又は、指定された金種の紙幣が入った紙幣カセット１８が空になるまで出金動作をして出金取引を終了する。また紙幣処理装置１０１は、紙幣カセット１８から繰り出した紙幣を出金対象外紙幣と判別した場合、該出金対象外紙幣を一時保留部１７へ保留し、正倒立方向を反転させて再度鑑別し、出金対象紙幣と判別した場合、該出金対象紙幣を繰り出し元の紙幣カセット１８へ戻すようにした。
【００８３】
ここで、第１の実施の形態による紙幣処理装置１は、出金取引において、指定された枚数分だけ紙幣を紙幣カセット１８から繰り出し、出金対象紙幣と判別されると第１出金部１３ａへ集積する一方、出金対象外紙幣と判別されると一時保留部１７に保留して表裏及び正倒立方向を反転させて鑑別部１６へ搬送して再度鑑別してから、再度鑑別において出金対象紙幣と判別された紙幣を第１出金部１３ａへ集積し、それでも指定された枚数に達しない場合、再度紙幣カセット１８から紙幣を繰り出していたため、出金取引に時間を要していた。
【００８４】
これに対し紙幣処理装置１０１は、出金取引において、指定された枚数分の紙幣を第１出金部１３ａへ集積させるまで、紙幣カセット１８から紙幣を繰り出すようにした。このため紙幣処理装置１０１は、紙幣カセット１８から繰り出した紙幣に出金対象外紙幣が含まれていると、指定された枚数よりも多くの枚数の紙幣を紙幣カセット１８から繰り出すこととなる。
【００８５】
そして紙幣処理装置１０１は、第１出金部１３ａのシャッタを開けて紙幣を使用者に出金してシャッタを閉めてから、バックグラウンドで、出金対象外紙幣を再度鑑別するようにした。このため紙幣処理装置１０１は、使用者に紙幣を出金するまでは鑑別部１６で再度鑑別しないため、紙幣カセット１８が空にならない限りは、紙幣処理装置１と比較して、出金取引において使用者に紙幣を受け渡するまでに要する取引時間を短縮できる。
【００８６】
また紙幣処理装置１０１は、指定された枚数分だけ紙幣を第１出金部１３ａへ搬送する前に繰出元の紙幣カセット１８が空になった場合、出金対象外紙幣を再度鑑別し、再度鑑別によって出金対象紙幣と判別した紙幣を、繰出元の紙幣カセット１８に一旦収納した後に第１出金部１３ａへ搬送してから、第１出金部１３ａのシャッタを開けて紙幣を使用者に出金するようにした。このため紙幣処理装置１０１は、指定された枚数分だけ紙幣を第１出金部１３ａへ搬送する前に繰出元の紙幣カセット１８が空になった場合であっても、速やかに再度鑑別を行い、出金対象紙幣と判別した紙幣を第１出金部１３ａへ搬送することにより、指定された枚数分を出金できる。
【００８７】
その他の点においても、第２の実施の形態による紙幣処理装置１０１は、第１の実施の形態による紙幣処理装置１と同様の作用効果を奏し得る。
【００８８】
［３．他の実施の形態］
なお上述した実施の形態においては、一時保留部１７に一旦紙幣を収納してから繰り出すことにより、紙幣の表裏又は正倒立方向の少なくとも一方を反転させる場合について述べた。本発明はこれに限らず、例えば紙幣カセット１８に一旦紙幣を収納してから繰り出すことにより、紙幣の表裏又は正倒立方向の少なくとも一方を反転させる等、他の種々の機構や、３ウェイの切替器等を用いて、紙幣の表裏又は正倒立方向の少なくとも一方を反転させても良い。
【００８９】
また上述した実施の形態においては、入金取引において表裏及び正倒立方向を反転させ、出金取引において正倒立方向を反転させる場合について述べた。本発明はこれに限らず、入金取引において表裏のみを反転させたり正倒立方向のみを反転させたり、出金取引において表裏及び正倒立方向を反転させたり表裏のみを反転させたりしても良い。これにより紙幣処理装置１及び１０１は、鑑別部１６を通過する紙幣の４通りの向きのうち、誤判別しやすい１通りの向きの状態から、表裏か、又は正倒立方向の少なくとも一方を反転させることができ、再度の鑑別により正しく鑑別できる。
【００９０】
さらに上述した第２の実施の形態においては、リジェクト率閾値を２０［％］とする場合について述べた。本発明はこれに限らず、リジェクト率閾値を他の種々の値としても良い。例えば、リジェクト率閾値を高い値にした場合、最終的に入金対象外紙幣と判定され第１出金部１３ａへ返却される紙幣の枚数が多くなるものの取引時間を短くでき、一方、リジェクト率閾値を低い値にした場合、取引時間は長くなるものの最終的に入金対象外紙幣と判定され第１出金部１３ａへ返却される紙幣の枚数を少なくできる。
【００９１】
さらに上述した実施の形態においては、所謂ダイレクト入金及びダイレクト出金を行う紙幣処理装置１及び１０１に本発明を適用する場合について述べた。本発明はこれに限らず、入金時において入金対象紙幣を一時保留部１７へ一旦保留してから紙幣カセット１８へ搬送し、出金時において出金対象紙幣を一時保留部１７へ一旦保留してから第１出金部１３ａへ搬送する紙幣処理装置に本発明を適用しても良い。
【００９２】
さらに上述した実施の形態においては、紙幣を還流させる（リサイクルする）タイプの窓口用の現金処理装置に本発明を適用する場合について述べた。本発明はこれに限らず、顧客が操作する接客部を有する現金自動取引装置にも本発明を適用しても良い。
【００９３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。すなわち、第１の実施の形態による入金処理、第１の実施の形態による出金処理、第２の実施の形態による入金処理及び第２の実施の形態による出金処理を適宜組み合わせて良い。
【００９４】
さらに上述した第１の実施の形態においては、入金部としての入金部１２と、搬送部としての搬送部１５と、鑑別部としての鑑別部１６と、制御部としての制御部１１とによって、現金処理装置としての紙幣処理装置１を構成する場合について述べた。本発明はこれに限らず、その他種々の構成でなる入金部と、搬送部と、鑑別部と、制御部とによって、現金処理装置を構成しても良い。
【産業上の利用可能性】
【００９５】
本発明は、紙幣等の紙葉状の媒体を集積し、外部から取り出させる種々の装置でも利用できる。
【符号の説明】
【００９６】
１、１０１、２０１……紙幣処理装置、１０……筐体、１１、１１１……制御部、１２……入金部、１３ａ……第１出金部、１３ｂ……第２出金部、１４……記憶部、１５……搬送部、Ｙ……搬送路、１６……鑑別部、１７……一時保留部、１８……紙幣カセット、１９……収納専用カセット、Ｄｆｕ……表面正立方向、Ｄｆｉ……表面倒立方向、Ｄｒｕ……裏面正立方向、Ｄｒｉ……裏面倒立方向。
【図１】
2020170240.tif 000003
【図２】
2020170240.tif 000004
【図３】
2020170240.tif 000005
【図４】
2020170240.tif 000006
【図５】
2020170240.tif 000007
【図６】
2020170240.tif 000008
【図７】
2020170240.tif 000009
【図８】
2020170240.tif 000010
【図９】
2020170240.tif 000011
【図１０】
2020170240.tif 000012
【図１１】
2020170240.tif 000013
【図１２】
2020170240.tif 000014
【図１３】
2020170240.tif 000015